(57)【要約】【課題】良好な外観意匠を得るためには、部品数が増加したり縫製以外の工程が必要となる。また、芯材及び縫製（ダブルステッチ）による複合的な装飾が施されたシートはない。【解決手段】シートクッションの２枚のトリムカバー片１２−２ａ、１２−２ｂは、トリムカバー片の端末(トリムカバー端末)１２−２ａ’、１２−２ｂ’に折り返し部Ｆを残して、玉縁である芯材２０を挟んで縫製される（第１の縫製部３０）。そして、トリムカバー片の端末１２−２ａ’、１２−２ｂ’を第１の縫製部３０でそれぞれトリムカバー裏面に折り返し、重ねられた部分でトリムカバー片が縫製される（第２の縫製部３２）。第２の縫製部３２は芯材２０を左右で挟んだダブルステッチとなる。【選択図】図２
2015213697.tif 000002
【特許請求の範囲】
【請求項１】
芯材を介してトリムカバー片の端末を縫製して形成されたトリムカバーでシートパッドを覆ってシートの表皮としたシートの表皮構造において、
前記トリムカバー片が前記芯材を挟んで縫製された第１の縫製部と、前記トリムカバー片の端末を前記第１の縫製部で前記トリムカバー裏面に折り返し、重ねられた部分で前記トリムカバー片が縫製された第２の縫製部と、
を備えたシートの表皮構造。
【請求項２】
シートパッドを覆ってシートの表皮となるトリムカバーが芯材を介して２枚のトリムカバー片の端末を縫製して形成されるシートの表皮縫製方法において、
前記トリムカバー片が前記芯材を挟んで縫製されて第１の縫製部を形成する縫製工程と、
前記トリムカバー片の端末を前記第１の縫製部で前記トリムカバー裏面に折り返し、重ねられた部分で前記トリムカバー片が縫製されて第２の縫製部を形成する別の縫製工程と、
を備えたシートの表皮縫製方法。
【発明の詳細な説明】
【技術分野】
【０００１】
本発明は、シートパッド（発泡成形材）にトリムカバー(表皮材)を被覆してなるシートの表皮構造およびそのシートの表皮縫製方法に関する。
【背景技術】
【０００２】
車両用シートは、骨格部材であるシートフレーム（シートクッションフレーム、シートバックフレーム）にウレタンフォーム等の発泡材からなるシートパッド（発泡成形材）を載せ、通気性のある複数のトリムカバー片(表皮片)を略袋状に縫製したトリムカバー(表皮材)でシートパッドを覆って形成されている。
【０００３】
トリムカバーは、それぞれの縫製部において２枚のトリムカバー片の端末（以下、適宜「トリムカバー端末」と略称する）どうしを縫製して成形される。しかし、トリムカバー片は通気性のある不織布等比較的柔らかい素材から形成されているため、縫製時にその表面が波打って縫製の方向が不安定となり、外観品質が低下する。また、大きな張力が加わると、縫製部が位置ずれして（蛇行して）、縫製がほつれやすい。すなわち、シートバックの前面中央部のように着座者の体重を直接受ける部分や、シートバックまたはシートクッションの左右縁部等のように三次元的に湾曲する部分においては、大きな張力がトリムカバーに生じて縫製部の位置がずれて、縫製がほつれやすい。そして、この部分（シートバックの前面中央部や、シートバックまたはシートクッションの左右縁部等）はシートの外観上目立ちやすい部分でもあり、縫製部の位置ずれや縫製のほつれがシートの外観品質に大きく影響する。
【０００４】
そのため、シートバックの前面中央部や、シートバックまたはシートクッションの左右縁部等において、トリムカバー端末の間に芯材を配置し、芯材を介在して２枚のトリムカバー端末を縫製する構成が知られている（たとえば、特開２００８−２１３７６８号公報、実開平０５−０６８４００号公報、実開平０３−０９４２００号公報、特開平０７−００８３５９号公報）。
通常、芯材はプラスチック等からなる玉縁とされる。トリムカバー片よりも硬質の芯材（玉縁）がトリムカバー端末の間に位置することによって、トリムカバー端末の位置ずれが防止される。また、芯材をカバーで被覆し、カバーに設けた縫製片にトリムカバー端末が縫製されることによって、トリムカバー端末どうしの縫製よりも強く縫製されて、縫製の緩みが防止される。
【０００５】
たとえば、特開２００８−２１３７６８号公報では、芯材をそれぞれ被覆するトリムカバー端末が２つの芯材とともに縫製されて縫製部を形成し、２つの芯材の嵌合可能な溝をコンソールのパッドに形成している。そして、縫製部を芯材とともにコンソールの溝に嵌合させて縫製部を固定化することによって、縫製部の位置ずれ、縫製のほつれを防止している。なお、芯材として、厚い平坦片のみからなるものが使用されている。
また、実開平０５−０６８４００号公報では、トリムカバー端末をその上に置かれた芯材の縫製片とともに縫製してから、芯材に沿って一方のトリムカバー端末が折り返されて芯材を被覆している。この構成では、縫製部が芯材の内側に設けられ、（折り返された）トリムカバー片で覆われて隠されるため、縫製部の位置ずれや縫製のほつれが生じても外観意匠を損なうおそれがない。
実開平０３−０９４２００号公報では、実開平０５−０６８４００号公報と同様にトリムカバー端末をその上に置かれた芯材の縫製片とともに縫製してから、芯材に沿ってトリムカバー端末を折り返して芯材を被覆する構成が記載されている。しかし、実開平０５−０６８４００号公報と異なり、芯材は平坦片からなるものが使用されており、そして、その芯材はトリムカバー端末の一方のみならず両端に縫製され、折り返されて被覆されている。縫製部が（折り返された）両端のトリムカバー片で覆われて隠されるため、実開平０５−０６８４００号の構成と同様に、縫製部の位置ずれや縫製のほつれが生じても外観意匠を損なうおそれがない。
さらに、特開平０７−００８３５９号公報では、芯材は両袖付であるとともに、その下面に補強布の収納される凹所が形成され、左または右の袖に覆ってからトリムカバー端末が折り返されている。そして、折り返されたトリムカバー端末が芯材下面の凹所内の補強片に芯材の袖を介して縫製されている。この構成では、芯材の存在によって縫製部の位置ずれが防止されるとともに、トリムカバー端末が芯材だけでなく補強布にも縫製されているため、強固な縫製が得られ、縫製のほつれが確実に防止される。
【先行技術文献】
【特許文献】
【０００６】
【特許文献１】特開２００８−２１３７６８号公報
【特許文献２】実開平０５−０６８４００号公報
【特許文献３】実開平０３−０９４２００号公報
【特許文献４】特開平０７−００８３５９号公報
【発明の概要】
【発明が解決しようとする課題】
【０００７】
特開２００８−２１３７６８号公報記載の構成では、縫製部、芯材がコンソールの溝に嵌合されて、縫製部の位置ずれ、縫製のほつれが防止される。しかし、被覆したトリムカバー端末とともに縫製された芯材の嵌合される溝をコンソールのパッド表面に形成して、その溝に芯材を溝に嵌合している。そして、トリムカバー端末、芯材の縫製に加えて縫製とは異なる別の行程(嵌合工程)が必要となり、作業工程が複雑化する。また、芯材が２つ必要となり、部材数が増える。さらに、２つの芯材がトリムカバー端末の間に介在されるため、縫製部が幅広となり、外観意匠上好ましくない。
また、芯材を被覆するトリムカバー端末の縫製は外観上視認されるため、縫製（ステッチ）による意匠効果（装飾）はあるが、芯材はトリムカバー端末に覆われるため、芯材（玉縁）による意匠効果は期待できない。
【０００８】
実開平０５−０６８４００号公報、実開平０３−０９４２００号公報記載の構成では、縫製部がトリムカバー片で覆われて隠されるため、縫製部の位置ずれや縫製のほつれが生じても外観意匠を損なうおそれがない。しかし、トリムカバー端末を芯材の縫製片とともにトリムカバー端末を縫製してから芯材に沿って一方または両端のトリムカバー端末が折り返されて芯材を被覆しているため、折り返されたトリムカバー端末に大きな張力が作用すると、芯材が牽引されてその縫製片が湾曲し、芯材の位置がずれて、外観品質を低下させるおそれがある。また、芯材及び芯材の縫製がトリムカバー端末に被覆されるため、芯材、縫製（ステッチ）による意匠効果が期待できない。さらに、実開平０５−０６８４００号公報では、２つのトリムカバー端末は一方のみが折り返され、折り返しが左右対称でないため、良好な外観意匠が得られない。
そして、特開平０７−００８３５９号公報記載の構成では、芯材により縫製部の位置ずれが防止されるとともに補強布により強固に縫製され、縫製のほつれが確実に防止される。しかし、芯材は、両袖付でその下面に凹所を持つ特殊な形状であるため、安価な市販の芯材が使用できないとともに、補強布も必要となって部品数が増える。そして、左右２枚のトリムカバー端末に挟まれた芯材は外観上視認されるため、芯材による意匠効果はあるが、芯材の縫製はトリムカバー端末に被覆されるため、縫製（ステッチ）による意匠効果が期待できない。
【０００９】
本発明は、部品数を増やすことなくトリムカバー端末を縫製して、芯材（玉縁）及び縫製（ステッチ）により良好な外観意匠が得られるシートの表皮構造の提供を目的としている。
また、本発明は、部品数を増やしたり縫製以外の工程を必要とすることなくトリムカバー端末を縫製できるシートの表皮縫製方法の提供を目的としている。
【課題を解決するための手段】
【００１０】
本発明では、２枚のトリムカバー片の端末の間に芯材を挟んで一体的に縫製するだけではなく、各トリムカバー片の端末を裏面に折り返し、重ねられた部分と一体的に縫製した二重縫製としている。
すなわち、請求項１に係る本発明によれば、芯材を介してトリムカバー片の端末を縫製して形成されたトリムカバーでシートパッドを覆ってシートの表皮としたシートの表皮構造において、トリムカバー片が芯材を挟んで縫製された第１の縫製部と、トリムカバー片の端末を第１の縫製部でトリムカバー裏面に折り返し、重ねられた部分でトリムカバー片が縫製された第２の縫製部と、を備えている。
【００１１】
また、請求項２に係る本発明によれば、シートパッドを覆ってシートの表皮となるトリムカバーが芯材を介して２枚のトリムカバー片の端末を縫製して形成されるシートの表皮縫製方法において、トリムカバー片が芯材を挟んで縫製されて第１の縫製部を形成する縫製工程と、トリムカバー片の端末を第１の縫製部でトリムカバー裏面に折り返し、重ねられた部分でトリムカバー片が縫製されて第２の縫製部を形成する別の縫製工程と、を備えている。
【発明の効果】
【００１２】
請求項１に係る本発明では、トリムカバー端末に挟まれた芯材（玉縁）と、芯材の両側に縫製された左右対称のダブルステッチとによる複合的な装飾が施され、良好な外観意匠を得ることができる。２枚のトリムカバー端末を、芯材（玉縁）を挟んで縫製するとともに裏面に折り返して重ねられた部分で縫製しており、縫製が強固になり、トリムカバー端末に張力が作用してもトリムカバー端末間の芯材が一方向に偏って牽引されることはなくその位置が安定し、良好な外観品質が得られる。
【００１３】
また、芯材は１つで足り、補強布等は不要であり、部品数を増すことなく、安価な市販の芯材を使用してトリムカバー端末を強固に縫製できる。
【００１４】
請求項２に係る発明では、トリムカバー端末に挟まれた芯材（玉縁）と、芯材の両側で縫製された左右対称のダブルステッチとによる複合的な装飾が簡単な方法で施され、良好な外観意匠を得ることができる。芯材を挟んでトリムカバー端末を縫製するとともに、トリムカバー端末を折り返して重ねられた部分を縫製しており、縫製とは異なる別の工程（嵌合工程）等を必要とすることなく２つの縫製工程だけでトリムカバー端末を縫製できる。また、芯材は１つで足り、補強布等は不要であり、部品数を増すことなく、安価な市販の芯材を使用してトリムカバー端末を縫製できる。
【図面の簡単な説明】
【００１５】
【図１】本発明の一実施例に係るシートの表皮構造を持つ車両用シートの斜視図を示す。
【図２】（Ａ−１）は図１の線Ａ−Ａに沿ったシートの表皮の拡大部分断面図、（Ａ−２）は第１の縫製部が形成されたトリムカバー端末、芯材の横断面図、（Ａ−３）は第１、第２の縫製部が形成されたトリムカバー端末、芯材の横断面図をそれぞれ示し、（Ｂ−１）は別形状の芯材を使用したシートであって、図１の線Ｂ−Ｂに沿ったシートの表皮の拡大部分断面図を示す。
【発明を実施するための形態】
【００１６】
芯材を介してトリムカバー片の端末を縫製して形成されたトリムカバーでシートパッドを覆ってシートの表皮としたシートの表皮構造において、トリムカバー片が芯材を挟んで縫製された第１の縫製部と、トリムカバー片の端末を第１の縫製部でトリムカバー裏面に折り返し、重ねられた部分でトリムカバー片が縫製された第２の縫製部と、を備えている。
【実施例】
【００１７】
以下、図面を参照しながら本発明の実施例を詳細に説明する。図１は、本発明の一実施例に係るシートの表皮構造を持つ車両用シートの斜視図を示す。図２（Ａ−１）は図１の線Ａ−Ａに沿ったシートの表皮の拡大部分断面図、（Ａ−２）は第１の縫製部が形成されたトリムカバー端末、芯材の横断面図、（Ａ−３）は第１、第２の縫製部が形成されたトリムカバー端末、芯材の横断面図をそれぞれ示し、（Ｂ−１）は別形状の芯材を使用したシートであって、図１の線Ｂ−Ｂに沿ったシートの表皮の拡大部分断面図を示す。
なお、前後左右はドライバーシートに着座したドライバーから見た方向をいい、Ｆｒ、Ｒｒ、Ｌ、Ｒで示す。
【００１８】
図１に示すように、車両用シート１０は、シートクッション１２と、シートクッションの後端に設けられたシートバック１４とを有して構成され、ヘッドレスト１６がシートバック１４の上面に設けられている。
【００１９】
シートクッション１２、シートバック１４の基本的な構造は周知であり、たとえば、シートクッションは、左右のサイドフレームの上部を連結パイプ等で連結した略コ字形形状のシートクッションフレーム（図示しない）に、図２（Ａ−１）に示すように、ウレタンフォーム等の発泡成形材からなるシートパッド１２−１を載せ、通気性のあるトリムカバー１２−２でシートパッドを覆って形成されている。シートバック１４も同様に、シートクッションフレームに載せたシートパッド１４−１をトリムカバー１４−２で覆って形成されている。
【００２０】
シートクッションのトリムカバー１２−２は、シートパッド１２−１を覆う形状に、それぞれの縫製部で２枚のトリムカバー片を縫製して成形され、シートクッションの縁部、つまりシートクッションの上面１２Ｕｐ、側面１２Ｓ（図１では左側面）の交差部においては、２枚のトリムカバー片１２−２ａ、１２−２ｂの端末（以下、適宜「トリムカバー端末」と略称する）１２−２ａ’、１２−２ｂ’が芯材２０に縫製されて、縫製部が形成される。そして、シートクッションの上面１２Ｕｐ、側面１２Ｓの交差部においては、図２（Ａ−１）に示すように、トリムカバー片１２−２ａ、１２−２ｂ(正確にいえばその端末)が芯材２０とともに縫製されてシートパッド１２−１の三次元的に湾曲する部分に芯材が配置されることにより、縫製部からなる縁取りがシートクッションの上面、側面（の交差部）に形成されている。
【００２１】
つまり、シートクッションの上面１２Ｕｐ、側面１２Ｓの交わる交差部のトリムカバー１２−２においては、シートクッションの側面１２Ｓを覆う左のトリムカバー片１２−２ａ、シートクッションの上面１２Ｕｐを覆う右のトリムカバー片１２−２ｂが、芯材２０を両側（左右）から挟んで芯材とともに縫製されている。
【００２２】
図２（Ａ−２）に示すように、芯材２０はたとえば、プラスチック等からなる断面円形形状の玉縁とされる。左右２枚のトリムカバー片１２−２ａ、１２−２ｂはその端末（トリムカバー端末）１２−２ａ’、１２−２ｂ’から折り返し部Ｆをそれぞれ残して芯材（玉縁）２０を挟んで縫製され、第１の縫製部３０が形成される。トリムカバー端末１２−２ａ’、１２−２ｂ’は、トリムカバーの裏面で第１の縫製部３０を中心に図２（Ａ−２）の矢視方向に折り返される。
【００２３】
図２（Ａ−３）に示すように、折り返された左右のトリムカバー片１２−２ａ、１２−２ｂは、トリムカバー端末１２−２ａ’、１２−２ｂ’と重ねられた部分で縫製されて、芯材２０の延びる方向と平行な第２の縫製部３２が形成される。第２の縫製部３２は、芯材２０を挟んで左右対称に形成された縫製（ダブルステッチ）となる。
すなわち、折り返し部を残して２枚のトリムカバー端末１２−２ａ’、１２−２ｂ’を芯材２０に縫製して第１の縫製部３０を形成するとともに、トリムカバー端末を第１の縫製部３０でそれぞれトリムカバーの裏面に折り返し、重ねられた部分のトリムカバーをさらに縫製して第２の縫製部を形成し、トリムカバー上に芯材、縫製部（第２の縫製部）による装飾が施される。いうまでもなく、第１の縫製部３０も芯材２０の延びる方向と平行に形成されている。
【００２４】
左右のトリムカバー片１２−２ａ、１２−２ｂに縫製された芯材２０は、たとえばシートクッションのシートパッド１２−１の上面１２Ｕｐ、側面１２Ｓの交わる交差部に置かれ、芯材を中心としてトリムカバー片がシートパッドの形状に沿って左右に延ばされ、トリムカバーとしてシートパッドを被覆する。トリムカバー１２−２がシートパッド１２−１上に張設されるため、芯材２０はシートパッド表面に押圧されてシートパッドを圧縮変形させ、沈んだ状態でシートパッド表面に配置される。
【００２５】
上記のように、トリムカバー端末１２−２ａ’、１２−２ｂ’、芯材２０を縫製して第１の縫製部３０が形成されるとともに、芯材２０の延びる方向と平行な第２の縫製部３２が芯材を挟んで左右対称に形成（ダブルステッチ）されている。そのため、トリムカバー片１２−２ａ、１２−２ｂに張力が作用しても、芯材２０が一方向に偏って牽引されることはなく芯材の位置がトリムカバー端末間で安定して位置し、外観品質が向上する。
また、トリムカバー１２−２は、芯材２０、ダブルステッチ（第２の縫製部３２）の組合せによる複合的な装飾が施されている。そのため、芯材（玉縁）または縫製のいずれかひとつのみが採用されたシートと比較して装飾性が向上する。この点からも外観品質が向上する。
【００２６】
芯材２０は１つで足り、部品数を増すことなく、安価な市販の芯材を使用してトリムカバー端末を強固に縫製できる。もちろん、１つの芯材をトリムカバー端末の間に介在させているにすぎないため、縫製部が幅広となることもなく、良好な外観意匠が得られる。
【００２７】
トリムカバー端末１２−２ａ’、１２−２ｂ’、芯材２０を縫製するとともに、トリムカバー端末を折り返し、芯材を挟んで左右対称に縫製（ダブルステッチ）するだけで足り、縫製とは異なる別の工程（嵌合工程）等を必要とせず、トリムカバーの作業工程が簡略化される。そして、２つの縫製だけで強固に縫製でき、良好な外観意匠が得られる。
【００２８】
芯材（玉縁）２０の形状は断面円形に限定されず、トリムカバー端末１２−２ａ’、１２−２ｂ’が左右から挟んで容易に縫製できる形状であれば足りる。
図２（Ｂ−１）は、別形状の芯材を使用したシートであって、図１の線Ｂ−Ｂに沿ったシートの表皮の拡大部分断面図を示す。
ここでは、シートバック１４における縫製を示す。
【００２９】
図２（Ｂ−１）に示すように、たとえば、芯材１２０は断面矩形形状であることを除けば、上記の芯材２０と同様の形状に成形され、２枚のトリムカバー片が同様の方法で芯材を介在して縫製される。
芯材１２０は、たとえば、プラスチック等からなる断面矩形形状の玉縁とされる。図１を見るとわかるように、シートバック１４の前面中央は、たとえば上部、中央部、下部に三分割されている。たとえば、三分割されたシートバックの前面上部１４Ｕｐ、前面中央部１４Ｃの交わる交差部のトリムカバー１４においては、シートバックの前面上部１４Ｕｐを覆う上のトリムカバー片１４−２ａ、シートバックの前面中央部１４Ｃを覆う下のトリムカバー片１４−２ｂが、芯材１２０を上下から挟んで芯材とともに縫製されている。
そして、上下のトリムカバー片１４−２ａ、１４−２ｂが、折り返し部Ｆを残して２枚のトリムカバー端末１４−２ａ’、１４−２ｂ’を芯材１２０に縫製して第１の縫製部１３０を形成するとともに、トリムカバー端末をそれぞれトリムカバーの裏面に折り返し、重ねられた部分のトリムカバーをさらに縫製して第２の縫製部１３２を形成している。
【００３０】
芯材１２０が断面矩形形状であっても、良好な外観意匠が得られ、玉縁が断面円形形状における場合と同様の効果が得られる。
【００３１】
上記のように、本発明によれば、部品数を増やすことなくトリムカバー端末を縫製して良好な外観意匠が得られる。また、部品数を増やしたり縫製以外の工程を必要とすることなくトリムカバー端末を縫製できる。そして、トリムカバー端末に挟まれた芯材（玉縁）と、芯材の両側に左右対称に縫製されたダブルステッチとによる複合的な装飾が施され、さらに良好な外観意匠を得ることができる。
【００３２】
上述した実施例は、本発明を説明するためのものであり、本発明を何等限定するものでなく、本発明の技術範囲内で変形、改造等の施されたものも全て本発明に包含されることはいうまでもない。
【００３３】
たとえば、実施例では車両用シートのトリムカバーを例示したが、同様に車両の内装品であるコンソールにおいても本発明の構造を適用することができる。すなわち、コンソール本体を被覆する表皮材（トリムカバー）に、本発明による芯材及びダブルステッチ（第２の縫製部）による複合的な装飾が施すことができる。
【産業上の利用可能性】
【００３４】
本発明は、バス、乗用車、航空機等の通常の車両用シートに限定されず、シートパッド（発泡成形材）にトリムカバー(表皮材)を被覆してなるシート全般、たとえば、事務で使用されるシート(事務用椅子)、公民館、劇場、映画館、スポーツ施設等に設置されるシート等にも広範囲に応用できる。
【符号の説明】
【００３５】
１０        車両用シート
１２        シートクッション
１２−１    シートクッションのパッド（シートパッド）
１２−２    シートクッションのトリムカバー
１２−２ａ、１２−２ｂ     左右のトリムカバー片
１２−２ａ’、１２−２ｂ’  左右のトリムカバー端末
１４        シートバック
１４−１    シートバックのパッド（シートパッド）
１４−２    シートバックのトリムカバー
１４−２ａ、１４−２ｂ     上下のトリムカバー片
１４−２ａ’、１４−２ｂ’  上下のトリムカバー端末
２０、１２０        芯材
３０、１３０        第１の縫製部
３２、１３２        第２の縫製部
【図１】
2015213697.tif 000003
【図２】
2015213697.tif 000004